(57)【要約】【課題】  カラー・データベースを生成及び／又は利用するためのシステムを提供する。【解決手段】  通信インタフェースと、プロセッサと、このプロセッサによって実行されるコンピュータ読み取り可能命令を含むコンピュータ読み取り可能媒体と、を含むデバイスを提供する。通信インタフェースは、第２のデバイスから色提示についての要求を受信するよう構成されている。コンピュータ読み取り可能命令は、デバイスに、（ａ）第１の色を生成させ、（ｂ）生成した第１の色のための色識別子を決定させ、（ｃ）生成した第１の色のための、生成した第１の色を有する塗料の生成に関連した色公式を決定させ、（ｄ）決定した色公式に関連付けて決定した色識別子をデータベースに記憶させ、（ｅ）複数の色について（ａ）から（ｄ）を繰り返してカラー・データベースを生成させ、（ｆ）生成したカラー・データベースと要求を比較して、生成したカラー・データベースから色を識別させ、（ｇ）識別した色を第２のデバイスに送信させる。【選択図】  図１
2010057152.tif 000002
【特許請求の範囲】
【請求項１】
デバイスであって、
第２のデバイスから色提示についての要求を受信するよう構成された通信インタフェースと、
プロセッサと、
コンピュータ読み取り可能命令を含むコンピュータ読み取り可能媒体であって、前記コンピュータ読み取り可能命令が、前記プロセッサによって実行されると、前記デバイスに、
（ａ）第１の色を生成させ、
（ｂ）前記生成した第１の色のための色識別子を決定させ、
（ｃ）前記生成した第１の色のための色公式であって、前記生成した第１の色を有する塗料の生成に関連した色公式を決定させ、
（ｄ）前記決定した色公式に関連付けて前記決定した色識別子をデータベースに記憶させ、
（ｅ）複数の色について（ａ）から（ｄ）を繰り返してカラー・データベースを生成させ、
（ｆ）前記生成したカラー・データベースと前記要求を比較して、前記生成したカラー・データベースから色を識別させ、  
（ｇ）前記識別した色を前記第２のデバイスに送信させる、コンピュータ読み取り可能媒体と、
を備える、デバイス。
【発明の詳細な説明】
【発明の概要】
【０００１】
[0001]  ある量の第１の色を第２の色に加えて第２の色の様々な色合いを生成することによって、新しい色を作り出すことができる。また、ある量の第１の色を第２の色に加えて新しい色を生成することによっても、新しい色を作り出すことができる。自動車、布、家庭用品、工業用品、建築材料、紙製品等を含む種々の物品に適用される塗料、インク、染料、着色料等向けを含む多種多様な製品に、様々な色が選択される。ここで用いる場合、「塗料（paint）」という言葉は、塗料、インク、染料、着色料等を指す。更に、様々な電子ディスプレイ・デバイス上で色を表現することができる。例えば、カラー・パレットで色をカスタマに提示し、カスタマはそのパレットから色を選んで、選択した物品に適用することができる。
【０００２】
[0002]  本開示の前述及び他の特徴は、添付図面と関連付けた以下の説明及び添付の特許請求の範囲から、より充分に明らかとなろう。これらの図面は、この開示に従ったいくつかの実施形態を示すのみであり、従って、その範囲を限定するとは見なされないことを理解した上で、添付図面を用いて本開示を更に具体的かつ詳細に記載する。
【図面の簡単な説明】
【０００３】
【図１】[0003]  図１は、例示的な実施形態に従ったカラー・データベース・システムのブロック図である。
【図２】[0004]  図２は、例示的な実施形態に従った、図１のカラー・データベース・システムのユーザ・コンピューティング・デバイスのブロック図である。
【図３】[0005]  図３は、例示的な実施形態に従った、図１のカラー・データベース・システムのミドルウェア・システムのブロック図である。
【図４】[0006]  図４は、例示的な実施形態に従った、図１のカラー・データベース・システムのクラウド・コンピューティング・システムのブロック図である。
【図５】[0007]  図５は、例示的な実施形態に従った、図４のクラウド・コンピューティング・システムが実行する動作を示すフロー図である。
【図６】[0008]  図６は、例示的な実施形態に従った、図２のユーザ・コンピューティング・デバイスが実行する動作を示すフロー図である。
【図７】[0009]  図７は、例示的な実施形態に従った、図３のミドルウェア・システムが実行する動作を示すフロー図である。
【発明を実施するための形態】
【０００４】
[0010]   以下の詳細な説明において、その一部を形成する添付図面を参照する。図面において、状況に応じて求められる例外を除けば、同様の記号は通常、同様の構成要素を識別する。詳細な説明、図面、及び特許請求の範囲において記載される例示的な実施形態は、限定を意図したものではない。ここに提示する主題の精神又は範囲から逸脱することなく、他の実施形態も利用することができ、他の変更も行うことができる。本開示の態様は、ここに一般的に記載するように、更に図面に示すように、多種多様な異なる構成において配置し、置換し、組み合わせ、及び設計することができ、それらの構成は全て明示的に検討され、この開示の一部を成すことは容易に理解されよう。
【０００５】
[0011]  カラー・データベースを生成及び／又は利用するための例示的なシステム、方法、デバイス等を記載する。図１を参照すると、例示的な実施形態に従ったカラー・データベース・システム１００のブロック図が示されている。カラー・データベース・システム１００は、１つ以上のユーザ・コンピューティング・デバイス１０２ａ、１０２ｂ、．．．、１０２ｎ、ミドルウェア・システム１０４、及びクラウド・コンピューティング・システム１０６を含む。１つ以上のユーザ・コンピューティング・デバイス１０２ａ、１０２ｂ、．．．、１０２ｎ、ミドルウェア・システム１０４、及びクラウド・コンピューティング・システム１０６に関連付けられたデバイスは、ネットワーク１０８を用いて通信を行うことができる。１つ以上のユーザ・コンピューティング・デバイス１０２ａ、１０２ｂ、．．．、１０２ｎは、ラップトップ、デスクトップ、サーバ、一体型メッセージング・デバイス、パーソナル・デジタル・アシスタント、携帯電話、ｉＰｏｄ（商標）等を含むいずれかのフォーム・ファクタのコンピュータとすれば良い。ネットワーク１０８は、セル式ネットワーク、ピア・ツー・ピア・ネットワーク、インターネット、ローカル・エリア・ネットワーク、ワイド・エリア・ネットワーク、Ｗｉ−Ｆｉネットワーク、Bluetooth（商標）ネットワーク等を含む１つ以上の種類のネットワークを含むことができる。
【０００６】
[0012]   クラウド・コンピューティング・システム１０６は、１つ以上のサーバ１１０及び１つ以上のデータベース１１４を含むことができる。クラウド・コンピューティング・システムとは、ネットワークを介してアクセス可能であり、ユーザにオン・デマンドのコンピューティング・サービスを提供する１つ以上の計算リソースを指す。１つ以上のサーバ１１０は、１つ以上のコンピューティング・デバイス１１２ａ、１１２ｂ、．．．、１１２ｎを含むことができ、これらはいずれかのフォーム・ファクタのコンピュータとすれば良い。１つ以上のデータベース１１４は、第１のデータベース１１４ａ、．．．及びｎ番目のデータベース１１４ｎを含むことができる。１つ以上のデータベース１１４は、１つ以上のサーバ１１０の１つ以上に収容することができ、あるいは、１つ以上のサーバ１１０が有線もしくは無線接続を介して直接又はネットワーク１０８を介してアクセス可能である別個のコンピューティング・デバイスに収容することができる。１つ以上のデータベース１１４は、複数の層に編成することができ、限定されることなく様々なデータベース技術を用いて作り出すことができる。クラウド・コンピューティング・システム１０６の構成要素は、単一のコンピューティング・デバイスにおいて、又は単一の位置、単一の設備における複数のコンピューティング・デバイスにおいて実施することができ、及び／又は相互にリモートとすることができる。
【０００７】
[0013]  図２を参照すると、例示的な実施形態に従ったカラー・データベース・システム１００のユーザ・コンピューティング・デバイス１０２のブロック図が示されている。ユーザ・コンピューティング・デバイス１０２は、入力インタフェース２００、出力インタフェース２０２、通信インタフェース２０４、コンピュータ読み取り可能媒体２０６、プロセッサ２０８、及びカラー・ビューア・アプリケーション２１０を含むことができる。限定されることなく、ユーザ・コンピューティング・デバイス１０２に、異なる追加の構成要素も組み込むことができる。カラー・ビューア・アプリケーション２１０は、ユーザによって選択可能かつ制御可能な機能を有するグラフィカル・ユーザ・インタフェースを提供する。カラー・ビューア・アプリケーション２１０は、ブラウザ・アプリケーション又は他のユーザ・インタフェース・ベースのアプリケーションを含むことができ、これがミドルウェア・システム１０４と情報のやり取りをして、カラー・パレットをユーザに提示し、このカラー・パレットからユーザが選択することを可能とし、及び／又は選択された色を製品に適用することについての要求を送出する。
【０００８】
[0014]  入力インタフェース２００は、当業者には既知のように、ユーザ・コンピューティング・デバイス１０２に入力されるユーザからの情報を受信するためのインタフェースを提供する。入力インタフェース２００は、キーボード、ペン及びタッチ・スクリーン、マウス、トラック・ボール、タッチ・スクリーン、キーパッド、１つ以上のボタン等を含むがこれらには限定されない様々な入力技術と相互作用して、ユーザがユーザ・コンピューティング・デバイス１０２に情報を入力することを可能とし、又は、カラー・ビューア・アプリケーション２１０の制御のもとにディスプレイを用いて表示されるユーザ・インタフェースに提示される選択肢を選ぶのを可能とすることができる。入力インタフェース１０４は、入力及び出力インタフェースの双方を提供することも可能である。例えば、タッチ・スクリーンによって、ユーザ入力及びユーザに対する出力の提示の双方を可能とする。ユーザ・コンピューティング・デバイス１０２は、同一又は異なるインタフェース技術を用いる１つ以上の入力インタフェースを有する場合がある。
【０００９】
[0015]  出力インタフェース２０２は、ユーザ・コンピューティング・デバイス１０２のユーザによる検討用の情報を出力するためのインタフェースを提供する。例えば、出力インタフェース２０２は、ディスプレイ、プリンタ、スピーカ等に対するインタフェースを含むことができる。ディスプレイは、薄膜トランジスタ・ディスプレイ、発光ダイオード・ディスプレイ、液晶ディスプレイ等を含むがこれらには限定されない様々なディスプレイのいずれかとすれば良い。プリンタは、インク・ジェット・プリンタ、レーザ・プリンタ等を含むがこれらには限定されない様々なプリンタのいずれかとすれば良い。ユーザ・コンピューティング・デバイス１０２は、同一又は異なるインタフェース技術を用いる１つ以上の出力インタフェースを有する場合がある。
【００１０】
[0016]  通信インタフェース２０４は、様々なプロトコル、伝送技術、及び媒体を用いてデバイス間でデータを送受信するためのインタフェースを提供する。通信インタフェースは、有線又は無線とすることができる様々な伝送媒体を用いた通信をサポートすることができる。ユーザ・コンピューティング・デバイス１０２は、同一又は異なるプロトコル、伝送技術、及び媒体を用いる１つ以上の通信インタフェースを有する場合がある。
【００１１】
[0017]  コンピュータ読み取り可能媒体２０６は、プロセッサ２０８によってアクセス可能であるように情報を電子的に保持する場所又は記憶する領域である。コンピュータ読み取り可能媒体２０６は、いずれかのタイプのランダム・アクセス・メモリ（ＲＡＭ）、いずれかのタイプのリード・オンリ・メモリ（ＲＯＭ）、いずれかのタイプのフラッシュ・メモリ等を含むがこれらには限定されない。例えば、磁気記憶デバイス（例えばハード・ディスク、フロッピ・ディスク、磁気ストリップ）、光ディスク（例えばコンパクト・ディスク（ＣＤ）、デジタル多用途ディスク（ＤＶＤ））スマート・カード、フラッシュ・メモリ・デバイス等である。ユーザ・コンピューティング・デバイス１０２は、同一又は異なるメモリ媒体技術を用いる１つ以上のコンピュータ読み取り可能媒体を有する場合がある。また、ユーザ・コンピューティング・デバイス１０２は、ＣＤ、ＤＶＤ、フラッシュ・メモリ・カード等のメモリ媒体の装填をサポートする１つ以上のドライブを有する場合がある。
【００１２】
[0018]  プロセッサ２０８は、当業者に既知のように命令を実行する。命令は、特殊用途コンピュータ、論理回路、又はハードウェア回路によって行うことができる。従って、プロセッサ２０８は、ハードウェア、ファームウェア、ソフトウェア、又はこれらの方法のいずれかの組み合わせで実施可能である。「実行」という言葉は、アプリケーションを動作させるプロセス又は命令によって要求される動作を行うことである。命令は、１つ以上のプログラミング言語、スクリプト言語、アセンブリ言語等を用いて書くことができる。プロセッサ２０８は命令を実行し、これが意味するのは、その命令によって要求される動作を実行するということである。プロセッサ２０８は、入力インタフェース２００、出力インタフェース２０２、通信インタフェース２０４、コンピュータ読み取り可能媒体２０６、及びカラー・ビューア・アプリケーション２１０と動作的に結合して、情報を受信、送信、及び処理する。プロセッサ２０８は、永久メモリ・デバイスから１組の命令を検索し、その命令を実行可能な形態で、一般的には何らかの形態のＲＡＭである一時メモリ・デバイスにコピーすることができる。ユーザ・コンピューティング・デバイス１０２は、同一又は異なる処理技術を用いる複数のプロセッサを含む場合がある。
【００１３】
[0019]  図３を参照すると、例示的な実施形態に従ったカラー・データベース・システム１００のミドルウェア・システム１０４のブロック図が示されている。ミドルウェア・システム１０４は、入力インタフェース３００、出力インタフェース３０２、通信インタフェース３０４、コンピュータ読み取り可能媒体３０６、プロセッサ３０８、及びカラー処理アーキテクチャ３１０を含むことができる。限定されることなく、ミドルウェア・システム１０４に、異なる追加の構成要素も組み込むことができる。例えば、ミドルウェア・システム１０４は、ミドルウェア・システム１０４によって直接アクセス可能であるか、又はネットワーク１０８等のネットワークを用いてミドルウェア・システム１０４によってアクセス可能であるデータベースを含むことができる。ミドルウェア・システム１０４は、更に、ミドルウェア・システム１０４に伝達された情報を一時的に記憶するためのキャッシュを含むことも可能である。入力インタフェース３００は、入力インタフェース２００と同様の機能を提供する。出力インタフェース３０２は、出力インタフェース２０２と同様の機能を提供する。通信インタフェース３０４は、通信インタフェース２０４と同様の機能を提供する。コンピュータ読み取り可能媒体３０６は、コンピュータ読み取り可能媒体２０６と同様の機能を提供する。プロセッサ３０８は、プロセッサ２０８と同様の機能を提供する。
【００１４】
[0020]  カラー処理アーキテクチャ３１０は、カラー・アプリケーション３１２、アプリケーション・エンジン３１４、ビジネス・コンポーネント３１６、及びハードウェア抽象化層３１８を含むことができる。カラー・アプリケーション３１２は、クラウド・コンピューティング・システム１０６とユーザ・コンピューティング・デバイス１０２との間のインタフェースに関連した動作を含んで、ミドルウェア１０４及び／又はクラウド・コンピューティング・システム１０６に維持することができるカラー・データベースを生成し、維持し、利用する。アプリケーション・エンジン３１４は、ユーザが以下の機能を実行することを可能とする。すなわち、カラー・アプリケーション３１２によって作成され、カラー・ビューア・アプリケーション２１０のユーザ・インタフェースに表示された色見本から色の選択を行うことである。カラー・ビューア・アプリケーション２１０のユーザ・インタフェースに表示された原色及び等和色からユーザの選択を可能とすることによって、マクロ又はミクロの分類を用いて色見本を自由に見ることができる。また、ユーザは、カラー・データベース・システム１００内に記憶された２つの色を組み合わせることによって、濃淡の混合を行うことができる。アプリケーション・エンジン３１４によって、ユーザは、カラー・アプリケーション３１２によって提示された色見本から色を選択することができる。ユーザが原色及び等和色を選択することによって、マクロ又はミクロ分類見本を用いて色見本を自由に見ることができる。また、ユーザは、システム内に配置された２つの色を組み合わせることで、濃淡の混合を行うことができる。これらの色は、自動車塗料又は家庭用塗料小売店等のビジネス・システムの一部として較正することができ、又は、家庭でユーザによって生成して顧客ファイルの形態で契約者又は小売店に送ることができ、これによって、小売店のシステムは、システム較正技法に基づいて、更に、ユーザがプログラムした色選択と小売店で所定位置に置かれた特定の様々な種類の染料又は染色システムとの間で行われる特定の塗料又は他の着色製品群の試験及び分析に基づいて、色を混合することができる。いっそう簡略化し、標準化し、較正したシステムのために、色の画素比に対して実際の色の変換を行うことができる。例えば、画面が７６０ｘ４８０画素である場合、この画面の全画素は３６４，８００画素に等しい。実際、色は、部分に基づいて操作される。最も小さい可能な変化では、新しい色の１つの部分を別の色の３６３，９９９の部分に加えることで、１つの色の陰影を変化させることができる。いったん単一の色グラデーションが行われると、実際の試験に基づいて、又は画素の高い比率に対して新しい色の単一画素フィルタを追加することに基づいたフィルタリング技術を用いた光スペクトルの論理グラデーションに基づいて、これらのグラデーションをプログラムすることができる。カラー処理アーキテクチャ３１０は、ユーザの特定の要求に基づいて、既存データを計算しこれにアクセスして新しい結果を比較し生成するようにプログラムすることができる。
【００１５】
[0021]  図４を参照すると、例示的な実施形態に従った、カラー・データベース・システム１００のクラウド・コンピューティング・システム１０６に関連したモジュールのブロック図が示されている。クラウド・コンピューティング・システム１０６は、インタフェース・モジュール４００、サービス・カタログ４０２、供給ツール４０４、監視及び計測モジュール４０６、システム管理モジュール４０８、及び１つ以上のサーバ１１０を含むことができる。限定されることなく、クラウド・コンピューティング・システム１０６に、異なる追加の構成要素も組み込むことができる。例えば、クラウド・コンピューティング・システム１０６は、１つ以上のデータベース１１４を更に含むことも可能である。ミドルウェア・システム１０４は、インタフェース・モジュール４００と情報のやり取りをしてサービスを要求する。サービス・カタログ４０２は、ミドルウェア・システム１０４が要求することができるサービスのリストを提供する。供給ツール４０４は、１つ以上のサーバ１１０からの計算リソースを割り当てて要求されたサービスを送出し、１つ以上のサーバ１１０において実行するために必要な画像を展開することができる。監視及び計測モジュール４０６は、１つ以上のサーバ１１０の使用を追跡して、例えば課金のために、用いたリソースをあるユーザに属させることができる。システム管理モジュール４０８は、１つ以上のサーバ１１０を管理する。１つ以上のサーバ１１０は、平行に延びている格子内にあるかのように（as if in a grid running in parallel）相互接続することができる。
【００１６】
[0022]  インタフェース・モジュール４００は、サービス・カタログ４０２からのサービス選択を可能とするように構成することができる。選択されたサービスに関連した要求は、システム管理モジュール４０８に送信することができる。システム管理モジュール４０８は、サーバ１１０の１つ以上及び／又はデータベース１１４の１つ以上等、利用可能なリソースを識別する。システム管理モジュール４０８は、供給ツール４０４を呼び出して、識別したリソースを割り当てる。供給ツール４０４は、要求されたスタック又はウェブ・アプリケーションも展開することができる。
【００１７】
[0023]  図５を参照すると、クラウド・コンピューティング・システム１０６によって実行される例示的な動作が示されている。実施形態に応じて、動作を追加したり、削減したり、又は異なる動作を実行したりする場合もある。図５の動作の提示の順序は限定を意図したものではない。動作５００において、新しい色を生成する。例えば、グラデーション／フィルタ効果を用いて、1つの色を別の色に混合する量を徐々に増やすことで、新しい１つの色又は一連の色を生成することができる。例示的な方法では、１インチ四方に単一の白の画素を分散させる。結果として、１インチ四方に広がった単一の白の画素が、同じサイズの標準色（赤、青、緑等）の正方形に配置され、フィルタを形成して、最少量の白を標準色の正方形に統合した新しい色が生成される。第２の色として、標準色に配置された１インチ四方の上に、２画素の白フレーム・フィルタを用いて、標準色及びこの標準色に統合された２画素の白に基づいて第２の色を生成することができる。このプロセスを繰り返して、標準色の何千という陰影を生成することができる。
【００１８】
[0024]  色の組み合わせは、互いに混合されて色組み合わせのマトリックスを徐々に拡大させるようにプログラムすることができる。例えば、色Ａの色グラデーションを原色Ｂと混合することにより、原色Ｂの何千というグラデーションを得ることができる。キー分類、排除プロセス、及び／又は提示プロセスを用いて、カラー・データベースを連続的に生成することができる。カラー・アプリケーション３１２が実行して色グラデーションによって果てしなく色が生成される限り、このデータベースは増大する。各原色及び黒及び白は、均一に色生成プロセスのキューに入れられて、カラー・データベースが限られた色スペクトルに集中するのを回避することができる。黒及び白を用いて、原色の明暗の陰影を与えることができる。次いでこれらを相互に混合し、白及び黒と再び混ぜる等とする。
【００１９】
[0025]  動作５０２において、新しい色に対する色識別子を決定する。例えば、各色に英数字コードを割り当てることができ、混合した原色又は等和色の第１の文字を混合した他の原色又は等和色の文字と共に用い、数字の順序は画素希釈の数に基づいてその色の陰影の数を表す。
【００２０】
[0026]  動作５０４において、１つ以上の製品について新しい色を生成するための色公式を決定する。
【００２１】
[0027]  システムによって発生された色を、車両又は家庭用塗料、又は衣服染料等の様々な製品のための色に一致させるために、製品の各種類ごとに公式を定義する。塗料及び市販の染料では、混合プログラムは、新しい色を得るための較正システムを含む。較正システムは、カラー・データベースと同期させるために、個別にプログラムし試験することができる。塗料、染料、着色料等の異なる化学的性質のために、較正システムを試験して、カラー・データベースからユーザが選択した新たに生成した色を、対象となる実際の塗料又は染料の製品群に確実に移送することができる。このため、特定の種類の塗料、染料、着色料等の各製品群ごとに、公式を決定することができる。較正した公式は、ミドルウェア・システム１０４及び／又はクラウド・コンピューティング・システム１０６によって安全に保持することができる。
【００２２】
[0028]  色は、自動車塗料又は家庭用塗料小売店等のビジネス・システムの一部として較正することができ、又は、家庭でユーザによって生成して顧客ファイルの形態で契約者又は小売店に送ることができ、これによって、小売店のシステムは、システム較正技法に基づいて、更に、システム内のユーザがプログラムした色選択と小売店で所定位置に置かれた特定の様々な種類の染料又は染色システムとの間で行わなければならない特定の塗料又は他の着色製品群の試験及び分析に基づいて、色を混合することができる。実際、いっそう簡略化し、標準化し、較正したシステムのために、色の画素比に対して実際の色の変換を行うことができる。例えば、画面が７６０ｘ４８０画素である場合、この画面の全画素は３６４，８００画素に等しい。実際、色は、部分に基づいて操作される。最も小さい可能な変化では、新しい色の１つの部分を別の色の３６３，９９９の部分に加えることで、１つの色の陰影を変化させることができる。いったん単一の色グラデーションが行われると、実際の試験に基づいて、又は画素の高い比率に対して新しい色の単一画素フィルタを追加することに基づいたフィルタリング技術を用いた光スペクトルの論理グラデーションに基づいて、これらのグラデーションをプログラムすることができる。データベース・システムは、ユーザの特定の要求に基づいて、利用可能な既存データを計算しこれにアクセスしてシステムについての新しい結果を比較し生成するようにプログラムすることができる。
【００２３】
[0029]  動作５０６において、１つ以上のデータベース１１４のデータベース等のデータベースに、新しい色に関連した色識別情報を記憶する。例えば、色識別情報は、色識別子と、様々な種類の塗料、インク、染料、着色料等の異なる製品の種類に関連した１つ以上の色公式と、を含むことができる。公式を利用することで、選択した製品の種類を用いて、選択した色を生成することができる。処理は動作５００において継続して、カラー・データベース・システム１００について新しい色を引き続き定義する。
【００２４】
[0030]  図６を参照すると、ユーザ・コンピューティング・デバイス１０２によって実行される例示的な動作が示されている。実施形態に応じて、動作を追加したり、削減したり、又は異なる動作を実行したりする場合もある。図６の動作の提示の順序は限定を意図したものではない。動作６００において、カラー・パレットの提示を求める第１の要求を受信する。動作６０２において、第１の要求をミドルウェア・システム１０４に転送するか、又は、第１の要求に基づいて第２の要求を生成してミドルウェア・システム１０４に送信する。動作６０４において、要求されたい色提示を提示するためのデータをミドルウェア・システム１０４から受信する。動作６０６において、ユーザ・コンピューティング・デバイス１０２に色提示を表示する。カラー・データベースは、キャッシュされたセグメントにおいて比較を行うように構成することができ、データベースが大きくなればなるほど、それらのセグメントを原色によって編成し、いっそう幅広い色合い及びグラデーションを容易にするピラミッド構造とすることができる。カラー・データベースを編成し提示するための他の方法を規定して、ユーザによる所望の色の識別を容易にすることも可能である。
【００２５】
[0031]  動作６０８において、提示したカラー・パレットから色の選択を受信する。ピラミッドの各レベルを総合データベースの一部として見ることができ、ピラミッドの特定の点はユーザによって選択可能であり、この結果、ユーザが選択したポイントに基づいてカラー・グラデーションに焦点が当てられる。ユーザは、デフォルト・サイズ又はユーザが設定したサイズでカラー・グラデーションを見ながら、色のサブセクションをスクロールすることができる。動作６１０において、第１の選択をミドルウェア・システム１０４に送信する。動作６１２において、選択した色の色識別情報をミドルウェア・システム１０４から受信する。動作６１４において、選択した色の色識別情報を供給側に送信して、選択した色をユーザが選択した製品に適用する。
【００２６】
[0032]  図７を参照すると、ミドルウェア・システム１０４によって実行される例示的な動作が示されている。実施形態に応じて、動作を追加したり、削減したり、又は異なる動作を実行したりする場合もある。図７の動作の提示の順序は限定を意図したものではない。ミドルウェア・システム１０４は、アプリケーション・プログラミング・インタフェースを用いて、例えば、オペレーティング・システムの互換性、表示機能、媒体再生機能等に関連付けて、読み取り可能なデータをコンピューティング・デバイス１０２に戻すためのパラメータを定義する。動作７００において、カラー・パレットの提示を求める第１の要求をユーザ・コンピューティング・デバイス１０２から受信する。動作７０２において、第１の要求を、クラウド・コンピューティング・システム１０６のインタフェース・モジュール４００に送信する。動作７０４において、クラウド・コンピューティング・システムのインタフェース・モジュール４００から、要求された色提示を提示するためのデータを受信する。動作７０６において、データをユーザ・コンピューティング・デバイス１０２に送信する。動作７０８において、ユーザ・コンピューティング・デバイス１０２から、提示したカラー・パレットからの色の選択を受信する。動作７１０において、この選択を、クラウド・コンピューティング・システム１０６のインタフェース・モジュール４００に送信する。動作７１２において、クラウド・コンピューティング・システム１０６のインタフェース・モジュール４００から、選択した色の色識別情報を受信する。動作７１４において、選択した色の色識別情報をユーザ・コンピューティング・システム１０２に送信する。
【００２７】
[0033]   システムの態様のハードウェア実装及びソフトウェアの実装の間にはほとんど区別がない。すなわち、ハードウェア又はソフトウェアの使用は、一般に（ではあるが常にではない。ある状況においてはハードウェア及びソフトウェア間の選択が重要となる場合がある）、コスト対効率のトレードオフとなる設計上の選択である。ここに記載したプロセス及び／又はシステム及び／又は他の技術を実行することができる様々な手段があり（例えばハードウェア、ソフトウェア、及び／又はファームウェア）、好適な手段は、プロセス及び／又はシステム及び／又は他の技術を展開する状況によって様々である。例えば、速度及び精度が最も重要であると実装者によって決定された場合、実装者は主としてハードウェア及び／又はファームウェアの手段を選択することができる。柔軟性が最も重要である場合、実装者は主としてソフトウェアによる実装を選択することができる。又は、代替的に、実装者は、ハードウェア、ソフトウェア、及び／又はファームウェアの何らかの組み合わせを選択することも可能である。
【００２８】
[0034]  前述の詳細な説明では、ブロック図、フローチャート、及び／又は例を用いることによって、デバイス及び／又はプロセスの様々な実施形態について述べた。かかるブロック図、フローチャート、及び／又は例が、１つ以上の機能及び／又は動作を含む限り、かかるブロック図、フローチャート、又は例における各機能及び／又は動作を、個別に及び／又は集合的に、多種多様なハードウェア、ソフトウェア、ファームウェア、又はそれらの実質的にあらゆる組み合わせによって実施可能であることは、当業者には理解されよう。一実施形態においては、ここに記載した主題のいくつかの部分を、特定用途向け集積回路（ＡＳＩＣ）、ＦＰＧＡ（Field Programmable Gate Array）、デジタル信号プロセッサ（ＤＰＳ）、又は他の集積形式によって実装することができる。しかしながら、ここに開示した実施形態のいくつかの態様は、全体的に又は部分的に、１つ以上のコンピュータ上で実行する１つ以上のコンピュータ・プログラムとして（例えば１つ以上のコンピュータ・システム上で実行する１つ以上のプログラムとして）、１つ以上のプロセッサ上で実行する１つ以上のプログラムとして（例えば１つ以上のマイクロプロセッサ上で実行する１つ以上のプログラムとして）、ファームウェアとして、又はそれらの実質的にあらゆる組み合わせとして、集積回路に同等に実装可能であること、更に、ソフトウェア及び／又はファームウェアのために回路を設計すること及び／又はコードを書くことは、本開示に鑑みて、当業者の技術の範囲内であることは、当業者には認められよう。更に、ここに記載した主題の機構は、様々な形態でプログラム製品として分散させることができること、更に、ここに記載した主題の例示的な実施形態は、この分散を実際に行うために用いられる信号記録媒体（signal bearing medium）の特定の種類には無関係に適用されることは、当業者には認められよう。信号記録媒体の例は、限定ではないが以下を含む。すなわち、フロッピ・ディスク、ハード・ディスク・ドライブ、コンパクト・ディスク（ＣＤ）、デジタル多用途ディスク（ＤＶＤ）、デジタル・テープ、コンピュータ・メモリ等の記録可能型の媒体、ならびに、デジタル及び／又はアナログ通信媒体（例えば光ファイバ・ケーブル、導波路、有線通信リンク、無線通信リンク等）等の伝送型の媒体である。
【００２９】
[0035]  ここに述べた方法でデバイス及び／又はプロセスを記載し、その後でエンジニアリング的な手法を用いてかかる記載したデバイス及び／又はプロセスを統合してデータ処理システムにすることが、当技術内の一般的なことであることは、当業者には認められよう。すなわち、ここに記載したデバイス及び／又はプロセスの少なくとも一部を、妥当な量の実験によって、データ処理システムに統合することができる。典型的なデータ処理システムは、一般に、システム・ユニット筐体、ビデオ・ディスプレイ・デバイス、揮発性及び不揮発性メモリ等のメモリ、マイクロプロセッサ及びデジタル信号プロセッサ等のプロセッサ、オペレーティング・システム、ドライバ、グラフィカル・ユーザ・インタフェースや、アプリケーション・プログラム等の計算エンティティ、タッチ・パッド又はスクリーン等の１つ以上のインタラクション・デバイス、及び／又はフィードバック・ループ及び制御モータを含む制御システム（例えば位置及び／又は速度を検知するためのフィードバック、構成要素及び／又は分量を移動させる及び／又は調節するための制御モータ）の１つ以上を含むことは、当業者には認められよう。データ・コンピューティング／通信及び／又はネットワーク・コンピューティング／通信システムにおいて通常見出されるもの等、いずれかの適切な市販の構成要素を用いて、典型的なデータ処理システムを実装することができる。
【００３０】
[0036]  ここに記載した主題は、時に、異なる他の構成要素内に含まれた、又は異なる他の構成要素と接続された、異なる構成要素を示す。かかる図示したアーキテクチャは単に例示したに過ぎず、実際、同一の機能を達成する他の多くのアーキテクチャを実施可能であることは理解されよう。概念上の意味において、同一の機能を達成するための構成要素のいかなる配置も、所望の機能を達成するように効果的に「関連付けられている」。従って、特定の機能を達成するためにここで組み合わせたいかなる２つの構成要素も、アーキテクチャ又は介在する構成要素には無関係に、所望の機能を達成するように相互に「関連付けられている」と考えることができる。同様に、そのように関連付けられたいかなる２つの構成要素も、所望の機能を達成するために相互に「動作的に接続」又は「動作的に結合」していると考えることができ、そのように関連付けることができるいかなる２つの構成要素も、所望の機能を達成するために相互に「動作的に結合可能である」と考えることができる。動作的に結合可能な具体例は、構成要素を物理的にかみ合わせ可能であること及び／又は物理的に相互作用すること及び／又は構成要素と無線で情報をやり取り可能とすること及び／又は無線で情報をやり取りすること及び／又は構成要素と論理的に情報をやり取りすること及び／又は論理的に情報をやり取りする可能とすることを含むが、これらには限定されない。
【００３１】
[0037]  実質的に全ての複数形及び／又は単数形の用語をここで用いることに関して、当業者は、文脈及び／又は用途に応じて適宜、複数形から単数形及び／又は単数形から複数形に変換を行うことができる。ここでは明確さのため、様々な単数形／複数形の順列を明確に述べることができる。
【００３２】
[0038]   一般的に、ここで用いた、特に特許請求の範囲（例えば特許請求の範囲の本文）において用いた用語は、概して、「オープン」な用語であることが意図されることは、当業者には理解されよう（例えば、「〜を含んでいる」という用語は「〜を含んでいるがこれに限定されない」と解釈するものであり、「〜を有している」という用語は「少なくとも〜を有している」と解釈するものであり、「〜を含む」という用語は「〜を含むがこれに限定されない」と解釈するものである等）。更に、導入された請求項の記載(recitation)に具体的な数が意図される場合、かかる意図は特許請求の範囲において明示的に述べられる。かかる説明がない場合にはかかる意図が存在しないことは、当業者には理解されよう。例えば、理解を助けるために、特許請求の範囲は、請求項の記載の導入において、「少なくとも１つの」及び「１つ以上の」という前置きの句の使用を含む場合がある。しかしながら、かかる句の使用は、不定冠詞「ａ」又は「ａｎ」が請求項の記載に導入された場合に、かかる記載を含むいずれかの特定の請求項が、記載されたものを１つしか含まない発明に限定されることを意味するように解釈されるものではない。これは、たとえ同一の請求項が「１つ以上の」又は「少なくとも１つの」という前置きの句及び「ａ」又は「ａｎ」等の不定冠詞を含む場合であっても当てはまる（例えば「ａ」及び／又は「ａｎ」は、通常、「少なくとも１つの」又は「１つ以上の」を意味するものと解釈される）。同じことが、請求項の記載の導入に定冠詞を用いる場合にも当てはまる。更に、導入された請求項の記載に具体的な数が明示的に記載された場合であっても、かかる記載が通常は、少なくとも“記載された数”を意味するように解釈されることは、当業者には認められよう（例えば、他の修飾語がない「２つの“記載対象”」という直接的な記載は通常、少なくとも２つの“記載対象”又は２つ以上の“記載対象”を意味する）。更に、「Ａ、Ｂ、及びＣ等の少なくとも１つ」に似た表記が用いられる場合、一般に、かかる構造は、当業者がこの表記を理解する意味として意図される（例えば、「Ａ、Ｂ、及びＣの少なくとも１つを有するシステム」は、Ａのみ、Ｂのみ、Ｃのみ、Ａ及びＢ、Ａ及びＣ、Ｂ及びＣ、及び／又はＡ、Ｂ、Ｃを有する等のシステムを含むがこれに限定されるわけではない）。「Ａ、Ｂ、又はＣ等の少なくとも１つ」に似た表記が用いられる場合、一般に、かかる構造は、当業者がこの表記を理解する意味として意図される（例えば、「Ａ、Ｂ、又はＣの少なくとも１つを有するシステム」は、Ａのみ、Ｂのみ、Ｃのみ、Ａ及びＢ、Ａ及びＣ、Ｂ及びＣ、及び／又はＡ、Ｂ、Ｃを有する等のシステムを含むがこれに限定されるわけではない）。更に、２つ以上の代替的な用語を表す実質的に全ての選言的な語及び／又は句は、説明、特許請求の範囲、又は図面のいずれにおいても、それらの用語の１つ、いずれか、又は双方を含む可能性を想定するように理解すべきであることは、当業者には理解されよう。例えば、「Ａ又はＢ」という句は、「Ａ」又は「Ｂ」又は「Ａ及びＢ」という可能性を含むように理解される。
【００３３】
[0039]  様々な態様及び実施形態をここに開示したが、当業者には他の態様及び実施形態が明らかであろう。ここに開示した様々な態様及び実施形態は例示の目的のためのものであり、限定として意図されるものではなく、真の範囲及び精神は特許請求の範囲によって示される。
【図１】
2010057152.tif 000003
【図２】
2010057152.tif 000004
【図３】
2010057152.tif 000005
【図４】
2010057152.tif 000006
【図５】
2010057152.tif 000007
【図６】
2010057152.tif 000008
【図７】
2010057152.tif 000009
【外国語明細書】
2010057152000001.pdf